(57)【要約】　　　（修正有）【課題】光放射ディスプレイを使用して画像を表示するのに消費される電力を減らす新たな方法を提供する。【解決手段】この方法では、ディスプレイモードが、少なくとも第１モードと第２モードから選択される。第１モードが選択される場合には、画像がディスプレイ上に表示され、第２モードが選択される場合には、変更された形式で画像が表示される。第２モードで画像を表示するのに消費される電力が第１モードで画像を表示するのに消費される電力よりも小さくなるように画像が変更される。信号プロセッサは、第２モードで画像を表示するための消費電力が第１モードでこれと同じ画像を表示するための消費電力よりも小さくなるように第２モードで表示される画像の外観を変更する。装置コントローラが、画像を表示するディスプレイモードを決定し、ディスプレイモード選択信号を生成する。信号プロセッサは、ディスプレイモード選択信号に示されるモードで画像を処理する。【選択図】　図２
2004046125.tif 000002
【特許請求の範囲】
【請求項１】
電力の供給に応答して光を放射する画像要素のマトリックスディスプレイを用いて画像を表示する方法であって：
少なくとも第１モードと第２モードからディスプレイモードを選択する段階；前記第１モードが選択された場合に、前記ディスプレイに前記画像を表示する段階；および
前記第２モードが選択された場合に、前記第２モードで前記画像を表示するための消費電力が前記第１モードで前記画像を表示するための消費電力よりも小さくなるように前記画像を変更して表示する段階；
から構成されることを特徴とする方法。
【請求項２】
電力の供給に応答して光を放射する画像要素のマトリックディスプレイのための画像ディスプレイドライバーであって：
画像を受信して、少なくとも第１モードと第２モードのうちの１つに従って前記ディスプレイに表示する画像を処理する信号プロセッサであり、前記第２モードで前記画像を表示するための消費電力が前記第１モードで当該画像と同一の画像を表示するための消費電力よりも小さくなるように前記第２モードで表示される前記画像の外観を変更するところの信号プロセッサ；および
画像を表示するディスプレイモードを決定し、ディスプレイモード選択信号を生成する装置コントローラ；
から構成され、前記信号プロセッサが前記モード選択信号に示されるモードで前記画像を処理することを特徴とする画像ディスプレイドライバー。
【請求項３】
光放射要素のマトリックスディスプレイと画像源を有する画像形成装置において使用される画像ディスプレイドライバーであって：
前記光放射要素の明るさの強度を制御するように構成された１セットの要素ドライバー；
前記画像源から画像を受信し、前記ディスプレイ上に表示するために当該画像を処理するように構成された信号プロセッサ；
ディスプレイモード状態を決定し、当該決定されたディスプレイモード状態に基づいてディスプレイモード選択信号を生成するように構成された装置コントローラ；および
前記要素ドライバーの動作を制御し、前記ディスプレイモード選択信号に応答して前記要素ドライバーの動作を変更するように構成されたディスプレイコントローラであり、当該ディスプレイコントローラは少なくとも第１モードと第２モードで動作し、前記第２モードで画像を表示するための消費電力が前記第１モードで当該画像と同一の画像を表示するための消費電力より小さくなるように前記第２モードで前記１セットの要素ドライバーの動作を変更するところのディスプレイコントローラ；
から構成されることを特徴とする画像ディスプレイドライバー。
【発明の詳細な説明】
【０００１】
【発明の属する技術分野】
本発明は、ディスプレイドライバー（ｄｉｓｐｌａｙ　ｄｒｉｖｅｒ）に関する。また、本発明は、光放射ビデオディスプレイ（ｅｍｉｓｓｉｖｅ　ｌｉｇｈｔ　ｖｉｄｅｏ　ｄｉｓｐｌａｙ）を作動させる方法に関する。
【０００２】
【従来の技術】
ビデオディスプレイは、携帯電話、グローバルポジショニングシステム（ＧＰＳ）、ＣＤプレーヤー、ビデオカメラ、ディジタルカメラ、ハイブリッドカメラまたは他の装置のような電子装置の重要な特色である。そのようなビデオディスプレイは、代表的には、画像要素の２次元マトリックスから構成・形成される。
光放射ディスプレイとして知られているビデオディスプレイの好適な形態では、画像形成要素は、複数の別々の・分離した光放射要素を含む。光放射ディスプレイを用いて表示される画像が、電子的に獲得・保存されて照度値（ｉｌｌｕｍｉｎａｔｉｏｎ　ｖａｌｕｅｓ）に符号化される。照度値は、ディスプレイの光放射要素に対して書き込まれ、光放射要素は照度値で示される強度レベルで光を放射する。これらの光放射要素が発する光の強度は、観察可能な強度レベルの範囲で変化する。画像の外観を帯びる一定のパターンの強度の変化がディスプレイ上に形成される。
【０００３】
偏在陰極線管（ｕｂｉｑｕｉｔｏｕｓ　ｃａｔｈｏｄｅ　ｒａｙ　ｔｕｂｅ）とエレクトロルミネセンスディスプレイ（ｅｌｅｃｔｒｏｌｕｍｉｎｅｓｃｅｎｔ　ｄｉｓｐｌａｙ）のような先行技術の光放射ディスプレイは、画像を表示する時に、かなりの電力を消費する。そのようなディスプレイが要求するエネルギーはポータブル電子装置のエネルギー供給能力を超える。このため、光放射ディスプレイは、ポータブル電子装置のように低電力で画像を与えることが望まれる環境では使用されていない。光放射ディスプレイ技術の新しい形態である有機的な・組織的な光放射ディスプレイが開発されている。この光放射ディスプレイ技術の新しい形態では、先行技術の光放射ディスプレイが要求する電力よりもかなり低い電力で照明強度の望ましい範囲にわたって光を放射する要素が提供される。例えば、この技術は、米国特許第５，２７６，３８０号（発明の名称が、“有機的エレクトロルミネセンス画像ディスプレイ装置”であり、出願日が、１９９１年１２月３０日であり、発明者がＴａｎｇらである）に開示されている。また、この技術は、米国特許第５，２９４，８７０号（発明の名称が、有機的エレクトロルミネセント装置の製作・製造方法であり、出願日が、１９９９年８月１２日であり、発明者が、Ｈｒｙｈｏｒｅｎｋｏらである）にも開示されている。そのような有機的光放射ディスプレイは、ポータブル電子装置での使用や他の低電力の適用のために急速に開発されている。
有機的光放射ディスプレイの使用により、放射光のディスプレイが要求する電力が大いに減少するが、光放射ディスプレイを動作・操作するのに要求される電力量をさらに減らすことが望まれる。この電力の減少は、例えば、有限の電気エネルギー供給部を有する携帯可能なまたはポータブルな装置の動作時間を延ばすためになされる。例えば、ポータブル電子装置のユーザーが、そのような装置に使用される電力供給時間の短いバッテリーに不満であったり、そのような装置のバッテリーを頻繁に充電しなくてはならないことに不満であったりする。光放射ディスプレイの動作のために要求される電力量をさらに減らす装置と方法の１つの例が、係属中の米国特許出願第０９／８４８，０６７号（発明の名称が、“ディスプレイドライバーと光放射ディスプレイを作動させる方法”であり、出願日が、２００１年５月３日であり、発明者が、Ｄａｖｉｄ　Ｌ．Ｆｕｎｓｔｏｎである）に開示されている。この米国特許出願によると、ディスプレイのドライバーが消費する電力量を減らすことにより、光放射ディスプレイを動作させるのに要求される電力量が減少させられる。
【０００４】
また、光放射ディスプレイを動作させるのに要求される電力を減らすために使用される装置の別の例が米国特許第５，９７７，７０４号（発明の名称が、“アイコンを有する有機的エレクトロルミネセンスディスプレイ”であり、出願日が、１９９６年１０月２８日であり、発明者が、Ｓｈｉらである）に開示されている。この米国特許によると、アイコン情報を表示する第１ディスプレイ領域と他の情報を表示する第２ディスプレイ領域を有する有機的エレクトロルミネセンス装置が提供される。この第１領域では、エレクトロルミネセンスディスプレイ要素が、アイコンの形をなしており、これによって、特定のディスプレイ要素が明るくなる（光を放射する）と、装置のユーザーはアイコンの形を認識できる。第２領域では、ピクセルディスプレイ要素のアレイが、ピクセルのパターンによって形成される画像の表示のために設けられる。そのようなディスプレイを使用することにより、電力を消費するドライバーとピクセル表示の個々の要素が動作しない状態において、アイコンの明るさが維持される。
【０００５】
【特許文献１】
米国特許第５，２７６，３８０号
【特許文献２】
米国特許第５，２９４，８７０号
【特許文献３】
米国特許出願第０９／８４８，０６７号
【特許文献４】
米国特許第５，９７７，７０４号
【発明が解決しようとする課題】
光放射ディスプレイを用いて画像を表示するために消費される電力を減らす追加的なまたは代わりの方法が望まれる。
【課題を解決するための手段】
本発明の１つの態様によると、電力の供給に応答して光を放射する画像要素のマトリックスディスプレイを用いて画像を表示する方法が提供される。この方法では、ディスプレイモードは、少なくとも第１モードと第２モードから選択される。第１モードが選択される場合には、画像がディスプレイ上に表示され、第２モードが選択される場合には、変更された形式で画像が表示される。
【０００６】
本発明の別の態様によると、電力の供給に応答して光を放射する画像要素のマトリックスディスプレイを用いて画像を表示する別の方法が提供される。この方法では、ディスプレイモード状態が探知され、探知されたディスプレイモード状態に基づいてディスプレイモードが少なくとも第１モードと第２モードから選択される。第１モードが選択された場合には、画像がディスプレイ上に表示される。第２モードが選択された場合には、変更された形式で画像が表示される。第２モードで画像を表示するために消費される電力が第１モードでこの画像と同一の画像を表示するために消費される電力よりも小さくなるように画像が変更される。
【０００７】
本発明の他の態様によると、電力の供給に応答して光を放射する画像要素のマトリックスディスプレイのための画像ディスプレイドライバーが提供される。この画像ディスプレイドライバーは、信号プロセッサを含む。この信号プロセッサは、画像を受信して、少なくとも第１モードと第２モードのうちの１つに従ってディスプレイ上に表示される画像を処理する。信号プロセッサは、第２モードで画像を表示するのに消費される電力が第１モードでこの画像と同一の画像を表示するのに消費される電力よりも小さくなるように第２モードで表示される画像の外観を変更する。装置コントローラは、画像を表示するためのディスプレイモードを決定し、ディスプレイモード選択信号を生成する。信号プロセッサは、ディスプレイモード選択信号によって示されるモードで画像を処理する。
【０００８】
本発明のさらなる別の態様によると、光放射要素のマトリックスディスプレイと画像源を有する画像ディスプレイ装置において使用される画像ディスプレイドライバーが提供される。画像ディスプレイドライバーは、光放射要素の明るさの強度を制御するように構成された１セットの要素ドライバーを有する。信号プロセッサが、画像源から画像を受信し、少なくとも第１モードと第２モードのうちの１つに従ってディスプレイ上に表示される画像を処理する。信号プロセッサは、第２モードで画像を表示するための消費電力が第１モードでこの画像と同一の画像を表示するために消費される電力より小さくなるように第２モードで表示される画像の外観を変更する。装置コントローラは、ディスプレイモード状態を決定し、この決定されたディスプレイモード状態に基づいてディスプレイモード選択信号を生成する。信号プロセッサは、このディスプレイモード選択信号に示されるモードで画像を処理する。
【０００９】
本発明のさらなる別の態様によると、光放射要素のマトリックスディスプレイと画像源を有する画像形成装置において使用される画像ディスプレイドライバーが提供される。この画像ディスプレイドライバーは、光放射要素の明るさの強度を制御するように構成された１セットの要素ドライバーを有する。信号プロセッサが、画像源から画像を受信し、ディスプレイ上に表示するために画像を処理する。装置コントローラは、ディスプレイモード状態を決定し、このディスプレイモード状態に基づいてディスプレイモード選択信号を生成する。ディスプレイコントローラは、要素ドライバーの動作を制御し、ディスプレイモード選択信号に応答して要素ドライバーの動作を変更する。このディスプレイコントローラは、要素ドライバーを制御するために少なくとも第１モードと第２モードで動作する。ディスプレイコントローラは、第２モードで画像を表示するための消費電力が第１モードでこの画像と同一の画像を表示するための消費電力よりも小さくなるように第２モードで１セットの要素ドライバーの動作を変更する。
【００１０】
【発明の実施の形態】
図１は、電子装置１２においての使用のための本発明の１の実施形態による光放射ディスプレイシステム１０を示している。この実施形態では、光放射ディスプレイシステム１０は、ディスプレイドライバー１４と有機的光放射ディスプレイ１６（ｏｒｇａｎｉｃ　ｅｍｉｓｓｉｖｅ　ｌｉｇｈｔ　ｄｉｓｐｌａｙ）を有する。有機的光放射ディスプレイ１６は、光放射要素（画像要素）１８を有する。図１に示される実施形態では、光放射要素１８は、ｎ列の水平列２０で構成される垂直アレイに編成されている。光放射要素１８の各水平列２０は、複数の要素ドライバー２２のうちの１つに関連させられている。要素ドライバー２２の各々は、当該要素ドライバーが関連している１の水平列２０に属する光放射要素１８が、当該要素ドライバー２２に伝達された照度値（ｉｌｌｕｍｉｎａｔｉｏｎ　ｖａｌｕｅｓ）に従って光を放射する（光を発する（ｉｌｌｕｍｉｎａｔｅ））ようにさせる。
【００１１】
電子装置１２は画像源２４を含む。例えば、画像源２４は、様々な形態をとることが可能である。画像源２４の形態は、電子的、磁気的または光学的画像記憶メモリや、電荷結合素子、ＣＭＯＳセンサーまたは電荷注入装置のような画像を組み込む画像捕獲装置や、またはイーサネット（登録商標）やトークンリングネットワークのようなネットワーク接続（ここから１つ以上の画像が供給される）を含むが、これらに限定されない。信号プロセッサ３６は、画像源２４から画像を受け取り、受け取った画像を処理して要素ドライバー２２に伝達可能な照度値を生成する。光放射ディスプレイ１６がある時間期間にわたって同一画像を表示するように要求されている場合に、同一画像を表示するために使用される要素ドライバー２２にこの画像用照度値を継続して再伝達する必要があるかもしれない。画像を新しくする・リフレッシュするタスクを単純にするために、リフレッシュメモリ３５が設けられる。リフレッシュメモリ３５は、画像に関連した照度値を保存する。これにより、信号プロセッサ３６に同一画像用の照度値を繰り返して生成することを要求しないで、画像をリフレッシュ（ｒｅｆｒｅｓｈ）するために、要素ドライバー２２に照度値を再伝達することが可能になる。図示されている実施形態では、要素ドライバー２２に伝達されるすべての照度値が、リフレッシュメモリ３５を通過する。
【００１２】
装置コントローラ２８が設けられる。装置コントローラ２８は、マイクロコンピュータや電子コントロールシステムに基づくマイクロコントローラのような電子システムである。図示されている実施形態では、装置コントローラ２８は、少なくとも１つのディスプレイモード状態のうちの１つの状態を決定して、ディスプレイモード信号を生成する。装置コントローラ２８は、少なくとも１つのディスプレイモード状態のうちの１の状態を決定するタスクとディスプレイモード信号を生成するタスク専用であってよい。装置コントローラ２８は、また、電子装置１２の他のシステムを制御するために使用可能である。
【００１３】
ディスプレイモード信号は、信号プロセッサ３６に伝達される。以下でより詳細に説明される１つの実施形態のように、信号プロセッサ３６は少なくとも２つのモード（例えば、第１モード、第２モードなど）のうちの１つのモードで動作可能である。信号プロセッサ３６が第１モード以外のモードで動作する場合に、信号プロセッサ３６は、表示されるべき画像を１セットの照度値に変換する。この１セットの変換された照度値によって、光放射ディスプレイ１６は、変更・修正された外観（ａｐｐｅａｒａｎｃｅ）を持つ画像バージョンを表示する。これにより、第２モードで光放射ディスプレイ１６上に画像を表示するのに要する消費電力は、第１モードで画像を表示するのに要する消費電力より少なくなる。この実施形態では、ディスプレイモード信号は、信号プロセッサ３６が利用可能なモードから１のモードを選択するのに使用される。
【００１４】
また、ディスプレイモード信号は、ディスプレイコントローラ３４に伝達される。ディスプレイコントローラ３４は、要素ドライバーを動作させる信号を生成する。より具体的には、図示されている実施形態では、ディスプレイコントローラ３４は、要素ドライバー２２のうちの１つにリフレッシュメモリ３５に伝達された照度値を受信するようにさせる信号を生成する。この信号は、共通バス３７を用いて要素ドライバー２２に伝達される。また、ディスプレイコントローラ３４は、リフレッシュメモリ３５に（別の）信号を伝達する。ディスプレイコントローラ３４からリフレッシュメモリ３５に伝達されるこの信号が、リフレッシュメモリ３５に光放射要素のための照度値を要素ドライバー２２のうちの１つに伝達させる。１の要素ドライバー２２に伝達される照度値は、この１の要素ドライバー２２が関連する水平列２０の光放射要素１８に対応している。これらの照度値も、共通バス３７に沿って伝達される。この１の要素ドライバー２２は、これらのコード値を受信し、この１の要素ドライバー２２が関連する水平列２０の個々の光放射要素１８に照度値に従って光を放射させる。他の要素ドライバー２２は、共通バス３７によって伝達されるこれらの照度値に影響されない。その後、この処理は、要素ドライバー２２の各々に関して繰り返される。この方法によって、要素ドライバー２２のすべてに照度値を伝達するのに共通バス３７が使用可能である。また、各要素ドライバー２２とリフレッシュメモリ３５の間の別々の・分離した電気的接続は、要求されない。
【００１５】
図２は、本発明によるディスプレイドライバー１４を動作させる方法を示している。図２に示されるように、段階４１において、ディスプレイドライバー１４は、光放射ディスプレイ１６上に形成される少なくとも１つの画像を受信する。その後、段階４２において、ディスプレイモード状態が決定される。段階４４において、ディスプレイモードが、決定されたディスプレイモード状態に基づいて選択される。
【００１６】
１つの実施形態では、ユーザーの入力を装置コントローラ２８が探知できる状態に変換するスイッチやダイアルや他の変換器のようなユーザーインターフェース２６のステータス・状態が、ディスプレイ状態である。装置コントローラ２８は、ユーザーインタフェース２６の状態を探知し、この探知に応じてモード選択信号を生成する。この実施形態では、電子装置１２のユーザーは、ユーザーインターフェース２６の状態を変えることによりディスプレイモードを決定する。
【００１７】
代替的には、ディスプレイモード状態は、電子装置１２の構成要素によって生成された電気的または他の信号から形成されてもよい。例えば、装置コントローラ２８は、電子装置１２の使用をモニターでき、ディスプレイが使用されている様式・方法（ｗａｙ）のプロフィールを進化・更新・作成（ｄｅｖｅｌｏｐ）できる。このプロフィールは、装置コントローラ２８がディスプレイモード信号を選択するのを助けるのに使用可能である。このような実施形態では、装置コントローラ２８は、電子装置１２の使用の電流パターンとプロフィールに記録されたパターンに基づいて特定のモードを選択するかどうかを決定する。
【００１８】
別の例では、ディスプレイモード状態が時間の経過に基づいて生成される。電子装置１２は、ある時間期間が経過したかどうかを決定するように構成された装置コントローラ２８を有している。この例では、装置コントローラ２８は、時間期間の経過を決定し、信号プロセッサ３６に第２モードに従って画像を処理させるモード選択信号を生成する。この時間期間は、例えば、ユーザーインターフェース２６の操作によってリセットできる。別の例では、信号プロセッサ３６を、新たな画像が画像源２４によって供給された時を探知するように構成することが可能であり、信号プロセッサ３６は、装置コントローラ２８に伝達される新たな画像信号を生成できる。この実施形態では、装置コントローラ２８は、新たな画像信号を探知し、新たな画像信号が装置コントローラ２８に受信された時に、時間期間をリセットする。時間期間がリセットされると、出力信号がやみ、信号探知部３２が、信号プロセッサ３６に第１モードで画像を表示させる出力信号を生成する。
【００１９】
さらなる別の実施形態では、ディスプレイモード状態は、電子装置１２が利用可能なエネルギー量から得られる。このような１つの例では、電子装置１２は、バッテリーのような電力供給部３８と利用可能エネルギー探知部４０を有している。利用可能エネルギー探知部４０は、電力供給部３８で利用可能なエネルギーの量をモニターして、電力供給部３８における利用可能なエネルギーを表す利用可能エネルギー信号を生成する電子装置である。この利用可能エネルギー信号は、その後、装置コントローラ２８に供給される。例えば、利用可能エネルギー探知部４０は、電力供給部３８によって与えられる電位レベルをモニターする電位探知部を含む。しかしながら、電力供給部３８に残っているエネルギーの量を他の方法で決定できることが理解されるであろう。
【００２０】
図２に示された実施形態と上述の例では、ディスプレイドライバー１４は、２つのモードで動作する。段階４６において、第１モードで、画像がディスプレイドライバー１４に伝達され、画像を正確に表現する形式で光放射ディスプレイ１６上で表示される。段階４８において、第２モードで、画像が変更・修正される。この変更は画像の外観を変化させ、これにより、光放射ディスプレイ１６上に変更された画像を表示するのに要求される電力量が、第１モードでディスプレイ１６上に同じ画像を表示するのに要求される電力量より少なくなる。段階５０において、変更された画像が、その後、光放射ディスプレイ１６上で表示される。
選択されるディスプレイモードは、ディスプレイモード状態の関数であってよい。段階５２において、光放射ディスプレイ上で画像を表示している間に、ディスプレイモード状態が変化する（ディスプレイモードを変化させる）場合には、画像が表示されている間に、ディスプレイモード状態が繰り返して検査・チェックされる。段階５４において、光放射ディスプレイ１６は、選択されたモードのままであり、もしディスプレイモードが変化しないならば（ディスプレイモードを変化させないならば）、画像は周期的にリフレッシュされる。図示された実施形態では、段階５６において、光放射ディスプレイ１６上で表示される新たな画像の受信により、または、画像を表示しないという指示により、ディスプレイモードを変えることが可能である。
【００２１】
画像を表示している間に、光放射ディスプレイ１６が消費する電力を減らすために画像の外観を変更することが可能な様々な方法がある。これに関して、光放射ディスプレイ１６上に画像を形成・表示し維持するために、光を放射して画像を形成する光放射要素１８の各々に電力を供給することが必要であることが理解されるであろう。従って、光放射ディスプレイ１６上に画像を表示するのに要求される総電力量は光放射要素１８の各々に供給される電力量の合計である。このことから、光放射ディスプレイ１６上に画像を表示するために使用される光放射要素１８の数を減らすことにより、または／および、光放射要素１８が放射する光の量を減らすことにより、光放射ディスプレイ１６を用いて画像を表示するのに要求される総電力量を減らすことが可能であることが理解されるであろう。以下の実施形態において、画像の外観を変更する方法が説明される。画像を変更することにより、光放射ディスプレイ１６上に変更された画像を表示するのに要求される電力量は、画像を変更しない形式で同じ画像を表示するのに要求される電力量より少なくなる。
【００２２】
図３ａは、光放射ディスプレイ１８上に表示されているオリジナル画像６０を示している。図３ｂは、光放射ディスプレイ１６上に画像を表示するのに要求される電力量を減らすために変更された後の画像６２を示している。即ち、図３ｂは、画像６０を表す（画像６０に対応する）変更された画像６２を示している。
この実施形態では、画像の外観を変更する段階（段階４８）は、光放射ディスプレイ１６上に画像を表示するのに要求される光放射要素１８の全体の数を減らすことによって実行される。この例では、図３ａは、第１モードで表示されている画像６０を示している。このモードでは、画像６０の表示は、１の水平列が６４０個の光放射要素１８を含むところの水平列が４８０列集まって構成されるアレイの使用を要求する。図３ｂに示される第２モードでは、１の水平列が３２０個の光放射要素１８を含むところの水平列が２４０列集まって構成されるアレイを用いて表示される変更された画像６２を形成するために、画像６０が、信号プロセッサ３６によって変更される。図３ｂに表示されているように、変更された画像６２の表示は、画像６０の表示に使用される光放射要素１８の数の４分の１の光放射要素１８の数を使用する。これにより、第２モードでは、電力が供給される光放射要素１８の数が減少し、光放射ディスプレイ１６上に画像を表示するのに要求される総電力量が減少させられる。この実施形態では、画像６０を表示するための照度値が第２モードでの表示のために圧縮（ｃｏｍｐｒｅｓｓｅｄ）されている。この圧縮は、例えば、画像６０の形成に使用される画像情報を電子的にアンダーサンプリング（ｕｎｄｅｒｓａｍｐｌｉｎｇ）することによって実行される。変更された画像６２は、４対１方式で画像６０の照度値をアンダーサンプリングしている。他の圧縮方式・技術も使用可能である。また、他の圧縮比率が使用されてもよい。このような圧縮の利点は、画像６０の全体の情報内容（ｉｎｆｏｒｍａｔｉｏｎ　ｃｏｎｔｅｎｔ）が本質的に変更された画像６２に保存されているということである。
【００２３】
画像の外観を変更する段階（段階４８）は、オリジナル画像の限られた部分を表示するためにオリジナル画像６０をサブスキャン（副走査（ｓｕｂ　ｓｃａｎ））して画像を表示するのに使用される光放射要素１８の数を減らすことによっても実行可能である。様々なサブスキャンのアプローチが使用可能である。図４ａと４ｂに示されている実施形態では、選択された光放射要素１８が光を放射しないようにすることによって制限・限定された変更画像６６を形成するために画像６４がサブスキャンされる。図４ｂに示されている実施形態では、光放射ディスプレイ１６の光放射要素１８の半分が、変更された画像６６を表示するのに使用されていない。図４ｂの実施形態では、これらの使用されていない要素は、ディスプレイの全体を通して分布させられた要素列に配置されている。この実施形態の利点は、全体の大きさが画像６４と同じである変更された画像６６が表示され、少し離れた位置からでもより容易に画像６４見れる・認識できることである。また、図４ｃと４ｄに示されているように、画像６４が光放射ディスプレイ６４に表示されるときに光を放射する要素１８の数を減らすために、様々なサブスキャンパターンが使用可能である。
【００２４】
図５ａと５ｂは、更なる別のサブスキャン方法を示している。この方法では、画像６４内の対象（ｓｕｂｊｅｃｔ）７２が決定され、対象領域７２だけが表示されるように画像がサブスキャンされる。
【００２５】
図６ａに示されているように、代表的には、カラー光放射ディスプレイ１６において、カラー画像６４が、３つの隣接する光放射要素１８からの光を合わせることによって光放射ディスプレイ１６上での表示のために形成される。これらの隣接する３つの光放射要素の各々は、レッド、ブルー、グリーンなどのような３原色のうちの１つの光を放射する。これらの光放射要素１８は極めて近接しているので、それぞれの色が混ざっているように見える。このように、３原色の各々で放射される光の強度を変えることにより、非常に幅広い色の範囲を持つ画像７４を表示することができる。しかしながら、そのようなすべてのカラー画像６８が、１セットを構成する３つの異なるカラー画像（即ち、レッド画像７６、グリーン画像７８、ブルー画像８０）から形成される。画像の外観を変更する段階（段階４８）は、例えば、３原色のうちの１つの光を放射する画像７４の要素だけから形成される変更画像８４を表示する段階を含む。例えば、人間の目はグリーンに対して最も感度が強いので、図６ｂに示されるようにグリーン画像を表示することが可能である。この実施形態では、グリーン画像８０だけが光放射ディスプレイ１６上に形成されている。環境によっては、この変更（１原色のカラー画像のみの表示）によって、変更されない画像を表示するのに要求される電力量と比べて変更された画像８４を表示するのに要求される電力量が効果的に６６％減少する。上述したように、光放射ディスプレイ１６上に画像を表示するのに要求される電力量は、画像を表示するのに使用される光放射要素の数と光放射要素が放射する光の量の両方の関数である。光放射要素１８が光を放射するのに要求される電力は、光放射要素１８が放射する光の量が増加するにつれて増加する。このように、本発明の代替的実施形態によると、画像の外観を変更する段階（段階４８）は、画像を表示するのに使用される光放射ディスプレイ１６の光放射要素１８の光の出力・量を減らす段階を含んでよい。１つの例では、画像を表示するのに使用される光強度の範囲の上限を下げることが可能である。この上限を任意のレベルまで下げることが可能である。これにより、どの光放射要素１８もあるレベル以上の光を放射しなくなる。別の例では、画像の全体の明るさを減少させることが可能である。
【００２６】
これらのサブスキャンの実施形態のどれにおいても、信号プロセッサ３６が画像を照度値に変換する方法を改良・変更するように信号プロセッサ３６を使用してサブスキャンを実行することが可能である。代替的には、要素ドライバー２２用のプログラムを作成することによって、サブスキャンを実行することが可能である。これにより、画像を表示するのに使用される光放射ディスプレイ１６の要素１８の完全なセットに光を放射させる第１モードで要素ドライバー２２が動作し、または、要素ドライバー２２が要素１８の完全なセットであるすべての光放射要素１８よりも少ない光放射要素１８に光を放射させる第２モードで要素ドライバー２２が動作することが可能になる。信号プロセッサ３６またはディスプレイコントローラ３４は、要素ドライバー２２のこれらの動作モードを選択するためにそのような要素ドライバー２２に信号を伝達することが可能である。要素ドライバー２２をこのような方法で動作させる場合には、画像が照度値に変換される方法を変更・変更するために信号プロセッサ３６を使用することは必要でない。
【００２７】
本発明によると、１以上の電力節約モードが選択できることが理解されるであろう。例えば、１以上の電力節約モードの選択を行うことにより、ディスプレイモード状態が示されてもよい。このような実施形態は、例えば、電力供給部に残っているエネルギーの量が比較的高い範囲内にあるときを示すのに有益である。
このような１つの実施形態では、図７ａに示されるように、（電力供給部３８の残りのエネルギー量が第１範囲にある場合に）、光放射ディスプレイ１６の光放射要素１８のうちの第１セットの光放射要素９２を使用して画像９０が表示される。この実施形態では、電力供給部３８の残りのエネルギー量が第２範囲にある場合に、図７ｂに示されるように光放射要素１８のうちの第２セットの光放射要素９４が使用される。
【００２８】
電力供給部３８の残りのエネルギー量が、第３範囲に達した場合に、光放射要素１８のうちの第３セットの光放射要素９６が画像９０を表示するのに使用される。この実施形態では、光放射要素１８のうちの第３セットの光放射要素９６は、第２セットの光放射要素９４のサブセットである（第３セットの光放射要素９６は第２セットの光放射要素９４から選択されてよい）。第２セットの光放射要素９４は、光放射要素１８のうちの第１セットの光放射要素９２のサブセットである（第２セットの光放射要素９４は第１セットの光放射要素９２から選択されてよい）。
【００２９】
このような有益な実施形態は、電子装置１２がＣＣＤやＣＭＯＳ画像形成装置のような画像源２４を使用して景色（ｓｃｅｎｅ）の画像を得る・捕獲するカメラを有している場合に適用可能である。このような実施形態では、ユーザー入力部２６がシャッタースイッチを含んでいる。このシャッタースイッチは、画像非捕獲位置からファインダー位置および画像捕獲位置へ移動可能である。装置コントローラ２８は、シャッタースイッチが画像非捕獲位置からファインダー位置に移動したとき、シャッタースイッチの位置をモニターする。コントローラ２８は、画像源２４に撮影景色などの画像のストリーム（ｓｔｒｅａｍ）を捕獲させる。装置コントローラ２８は、また、光放射ディスプレイ１６上にサブサンプル（ｓｕｂ　ｓａｍｐｌｅｄ）したバージョンの画像ストリームが現れるようにするディスプレイモード信号を生成できる。これによって、ユーザーが、過度の電力量を消費しないで光放射ディスプレイ１６をファインダーとして使用することが可能になる。シャッタースイッチの画像捕獲位置への移動が、装置コントローラ２８によって探知される。この探知に応答して、装置コントローラ２８は、画像ストリームからの（に含まれる）画像を保存させ、保存された画像を変更していない形式で表示するためのディスプレイモード信号を生成する。
【図面の簡単な説明】
【図１】ディスプレイドライバーと光放射ディスプレイを有する電子装置の１つの実施形態である。
【図２】本発明による方法の１例である。
【図３ａ】第１モードで表示されている画像である。
【図３ｂ】サブスキャン形式で表示されている図３ａの画像である。
【図４ａ】第１モードで表示されている画像である。
【図４ｂ】サブスキャン形式で表示されている図４ａの画像である。
【図４ｃ】別のサブスキャン形式で表示されている図４ａの画像である。
【図４ｄ】更なる別のサブスキャン形式で表示されている図４ａの画像である。
【図５ａ】第１モードで表示されている画像である。
【図５ｂ】サブスキャン形式で表示されている図５ａの画像である。
【図６ａ】３色で表示されている画像の例である。
【図６ｂ】１色で表示されている図６ａの画像である。
【図７ａ】第１範囲のディスプレイモード状態に関連した第１モードで表示されている画像である。
【図７ｂ】第２範囲のディスプレイモード状態に関連した第２モードで表示されている図７ａの画像である。
【図７ｃ】第３範囲のディスプレイモード状態に関連した第３モードで表示されている図７ａの画像である。
【符号の説明】
１０　光放射ディスプレイシステム
１２　電子装置
１４　ディスプレイドライバー
１６　光放射ディスプレイ
１８　光放射要素
２０　水平列
２２　要素ドライバー
２４　画像源
２６　ユーザーインタフェース
２８　装置コントローラ
３０　画像
３２　信号探知部
３４　ディスプレイコントローラ
３５　リフレッシュメモリ
３６　信号プロセッサ
３７　共通バス
３８　電力供給部
４０　利用可能エネルギー探知部
４１　画像受信段階
４２　ディスプレイモード状態決定段階
４４　ディスプレイモード選択段階
４６　第１モード画像表示段階
４８　画像変更段階
５０　変更画像表示段階
５２　状態チェック段階
５４　表示画像リフレッシュ段階
５６　新たな画像表示段階
６０　画像
６２　変更された画像
６４　画像
６６　変更された画像
６８　カラー画像
７２　対象
７４　画像
７６　レッド画像
７８　グリーン画像
８０　ブルー画像
８４　変更された画像
９０　画像
９２　光放射要素の第１セット
９４　光放射要素の第２セット
９６　光放射要素の第３セット
【図１】
2004046125.tif 000003
【図２】
2004046125.tif 000004
【図３ａ】
2004046125.tif 000005
【図３ｂ】
2004046125.tif 000006
【図４ａ】
2004046125.tif 000007
【図４ｂ】
2004046125.tif 000008
【図４ｃ】
2004046125.tif 000009
【図４ｄ】
2004046125.tif 000010
【図５ａ】
2004046125.tif 000011
【図５ｂ】
2004046125.tif 000012
【図６ａ】
2004046125.tif 000013
【図６ｂ】
2004046125.tif 000014
【図７ａ】
2004046125.tif 000015
【図７ｂ】
2004046125.tif 000016
【図７ｃ】
2004046125.tif 000017